(57)【特許請求の範囲】
【請求項１】
麻雀牌を卓上に自動供給する自動麻雀卓であって、
上面視略正方形状であり、該略正方形の四辺のそれぞれに沿って表面側及び裏面側に極性が統一された磁極をそれぞれ有する複数の牌を卓上に供給するための４つの開口が設けられた卓板を有する本体と、
前記本体内で複数の牌を撹拌する撹拌装置と、
前記卓板の角部近傍の下方に配置され、前記本体内で前記撹拌装置から複数の牌を回転体を用いて汲み上げる、前記４つの開口のそれぞれに対応した４つの汲上装置と、
前記本体内で前記汲上装置から汲み上げられた複数の牌を前記開口に合わせて整列する、前記４つの開口のそれぞれに対応した４つの整列装置と、を備え、
前記回転体は、円錐台形状を有し、該円錐台の側面に少なくとも１つの第１磁石が前記複数の牌の表面側の極性と逆の極性を外側に向けて設けられ、前記円錐台の上面の中心及び前記上面より大きい底面の中心を通る中心軸を中心に回転し、前記上面を前記撹拌装置側に向け、前記中心軸を水平面に対して前記側面がなす錐角の略半分の角度で傾斜し、前記側面の下端を前記撹拌装置に近接して、前記撹拌装置の周囲に配置されることを特徴とする、自動麻雀卓。
【請求項２】
前記汲上装置は、前記回転体の下側に、前記側面に対向して前記側面の外側から内側に張り出すガイドを有し、
前記ガイドは、前記回転体の回転方向に沿って張り出し長さの増加する傾斜部を有することを特徴とする、請求項１に記載の自動麻雀卓。
【請求項３】
前記回転体の上端近傍に配置され、前記汲上装置により汲み上げられた牌を前記整列装置に送る搬送路をさらに備え、
前記搬送路は、前記牌の横幅よりも大きく且つ縦幅よりも小さい幅で離間する内面と、前記回転体の上端近傍から前記整列装置にかけて下向きに傾斜する底面と、を有することを特徴とする、請求項１又は２に記載の自動麻雀卓。
【請求項４】
前記搬送路は、前記底面の上方に、前記複数の牌の裏面側の極性と逆の極性を有する磁極を前記底面に向ける第２磁石を有することを特徴とする、請求項３に記載の自動麻雀卓。
【請求項５】
前記撹拌装置は、中央に頂部を有し、該頂部から周縁に傾斜して裾を広げる回転板を有することを特徴とする、請求項１から４のいずれか一項に記載の自動麻雀卓。
【請求項６】
前記撹拌装置は、前記回転体の下端の近傍で前記回転板の下に、前記牌の裏面側の極性と異なる極性を有する磁極を上に向けた第３磁石を有することを特徴とする、請求項５に記載の自動麻雀卓。
【請求項７】
裏面を下に向けて前記回転板上の前記第３磁石の真上の位置にある牌について、前記牌の裏面側の磁極と前記第３磁石との磁着力は、前記牌の表面側の磁極と前記第１磁石との磁着力よりも弱いことを特徴とする、請求項６に記載の自動麻雀卓。
【請求項８】
前記整列装置は、前記汲上装置により汲み上げられた牌の数を数え、該数が所定の数に達した時に、前記汲上装置の前記回転体の回転方向を逆方向にすることを特徴とする、請求項１から７のいずれか一項に記載の自動麻雀卓。
【請求項９】
前記汲上装置は、前記回転体の下端から前記複数の牌を汲み上げる際の前記回転体の回転方向と逆側に、前記回転体の側面から牌より小さい離間距離隔てて横たわるブロック部材を有することを特徴とする、請求項８に記載の自動麻雀卓。
【発明の詳細な説明】
【技術分野】
【０００１】
本発明は、麻雀牌を卓上に自動供給する自動麻雀卓に関する。
【背景技術】
【０００２】
麻雀をプレイする際、自動で、麻雀牌（単に牌とも呼ぶ）を洗牌（撹拌とも呼ぶ）し、卓上の４つの位置に砌牌（供給とも呼ぶ）する自動麻雀卓が利用される。自動麻雀卓は、洗牌された牌を砌牌するために攪拌装置から砌牌のための装置に牌を移動させる必要がある。従来、特許文献１のように、牌を水平移動させて円形の撹拌装置から外し、その牌を上方に移動させて砌牌のための装置に供給する形式のものが多かった。
【０００３】
この点、特許文献２には、撹拌装置から上方に牌を汲み上げる汲上機構を備えた自動麻雀卓が開示されている。撹拌装置から牌を外す際に上方への移動も実現される。しかし、撹拌装置の真上に汲み上げるため、汲上機構と砌牌のための装置との相互の位置関係が制約されている。
【先行技術文献】
【特許文献】
【０００４】
【特許文献１】特開２００４−２４２８０７号公報
【特許文献２】特開２００６−３１４８３０号公報
【発明の概要】
【発明が解決しようとする課題】
【０００５】
本発明は、麻雀牌を撹拌する撹拌装置、撹拌装置により撹拌された麻雀牌を汲み上げる汲上装置、及び汲上装置により汲み上げられた牌を整列する整列装置を備えた自動麻雀卓であって、汲上装置及び整列装置が本体内にコンパクトに組み込まれたものを提供することを課題とする。
【課題を解決するための手段】
【０００６】
本発明の自動麻雀卓は、
麻雀牌を卓上に自動供給する自動麻雀卓であって、
上面視略正方形状であり、該略正方形の四辺のそれぞれに沿って表面側及び裏面側に極性が統一された磁極をそれぞれ有する複数の牌を卓上に供給するための４つの開口が設けられた卓板を有する本体と、
前記本体内で複数の牌を撹拌する撹拌装置と、
前記卓板の角部近傍の下方に配置され、前記本体内で前記撹拌装置から複数の牌を回転体を用いて汲み上げる、前記４つの開口のそれぞれに対応した４つの汲上装置と、
前記本体内で前記汲上装置から汲み上げられた複数の牌を前記開口に合わせて整列する、前記４つの開口のそれぞれに対応した４つの整列装置と、を備え、
前記回転体は、円錐台形状を有し、該円錐台の側面に少なくとも１つの第１磁石が前記複数の牌の表面側の極性と逆の極性を外側に向けて設けられ、前記円錐台の上面の中心及び前記上面より大きい底面の中心を通る中心軸を中心に回転することを特徴とする。
【０００７】
この特徴によれば、回転体が円錐台形状なので、汲上装置の上端と下端の麻雀卓水平面方向の位置を相違させることができる。上端を麻雀卓の角部近傍とし、下端を上端よりも中央寄りの撹拌装置の位置とすることができる。すなわち、整列装置において長い距離の牌の移動を必要としない。
汲上装置により、撹拌装置から複数の牌を回転体を用いて汲み上げられる。ここで、回転体が、円錐台形状を有し、その円錐台の側面に少なくとも１つの第１磁石が複数の牌の表面側の極性と逆の極性を有する磁極を外側に向けて設けられ、中心軸を中心に回転する。それにより、回転体を回転することにより、側面に設けられた第１磁石により複数の牌を裏面を外側に向けて吸引して、汲み上げることができる。また、汲上装置は、本体内で、略正方形状の卓板の角部近傍の下方に配置される。それにより、汲上装置を、本体内で、整列装置の近傍である卓板の角部近傍の下方に配置して、コンパクトに構成することができる。
【０００８】
本発明の自動麻雀卓は、
前記回転体は、前記上面を前記撹拌装置側に向け、前記中心軸を水平面に対して前記側面がなす錐角の略半分の角度で傾斜し、前記側面の下端を前記撹拌装置に近接して、前記撹拌装置の周囲に配置されることを特徴とする。
【０００９】
この特徴によれば、回転体が、上面を撹拌装置側に向け、中心軸を水平面に対して側面がなす錐角の略半分の角度で傾斜し、側面の下端を撹拌装置に近接して、撹拌装置の周囲に配置される。それにより、回転体の側面の上端が撹拌装置から上外側に離間して略水平な状態で配置され、回転体を回転することにより複数の牌を撹拌装置から上外方に水平状態で汲み上げる、整列装置に渡すことができる。
【００１０】
本発明の自動麻雀卓は、
前記汲上装置は、前記回転体の下側に、前記側面に対向して前記側面の外側から内側に張り出すガイドを有し、
前記ガイドは、前記回転体の回転方向に沿って張り出し長さの増加する傾斜部を有することを特徴とする。
【００１１】
この特徴によれば、汲上装置は、回転体の下側に、側面に対向して側面の外側から内側に張り出すガイドを有し、ガイドは回転方向に沿って張り出し長さの増加する傾斜部を有する。それにより、回転体に吸引された牌が、回転体が回転することでガイドに当接して外側から内側に案内されて、回転方向が縦方向となるようにその向きを揃えることができる。特に、傾斜部において牌の向きを漸次に回転させることが効果的である。
【００１２】
本発明の自動麻雀卓は、
前記回転体の上端近傍に配置され、前記汲上装置により汲み上げられた牌を前記整列装置に送る搬送路をさらに備え、
前記搬送路は、前記牌の横幅よりも大きく且つ縦幅よりも小さい幅で離間する内面と、前記回転体の上端近傍から前記整列装置にかけて下向きに傾斜する底面と、を有することを特徴とする。
【００１３】
この特徴によれば、回転体の上端近傍に配置され、汲上装置により汲み上げられた牌を整列装置に送る搬送路をさらに備え、搬送路は、牌の横幅よりも大きく且つ縦幅よりも小さい幅で離間する内面と、回転体の上端近傍から整列装置にかけて下向きに傾斜する底面と、を有する。搬送路が牌の横幅よりも大きく且つ縦幅よりも小さい幅で離間する内面を有することで、搬送路に対して縦を向けて汲み上げられた牌のみを選択することができ、搬送路の底面が回転体の上端近傍から整列装置にかけて下向きに傾斜していることで、汲上装置により汲み上げられた牌を底面上を滑降させて整列装置に搬送することができる。
【００１４】
本発明の自動麻雀卓は、
前記搬送路は、前記底面の上方に、前記複数の牌の裏面側の極性と逆の極性を有する磁極を前記底面に向ける第２磁石を有することを特徴とする。
【００１５】
この特徴によれば、搬送路は、底面の上方に、複数の牌の裏面側の極性と逆の極性を有する磁極を底面に向ける第２磁石を有する。それにより、複数の牌は、底面の上方に有する第２磁石に吸引されることで、搬送路の底面から受ける摩擦抵抗が小さくなり、底面上を容易に滑降することができる。
【００１６】
本発明の自動麻雀卓は、
前記撹拌装置は、中央に頂部を有し、該頂部から周縁に傾斜して裾を広げる回転板を有することを特徴とする。
【００１７】
この特徴によれば、撹拌装置は、中央に頂部を有し、この頂部から周縁に傾斜して裾を広げる回転板を有する。それにより、回転板を回転することでその上で撹拌された牌を、汲上装置側の周縁に寄せることができる。
【００１８】
本発明の自動麻雀卓は、
前記撹拌装置は、前記回転体の下端の近傍で前記回転板の下に、前記牌の裏面側の極性と異なる極性を有する磁極を上に向けた第３磁石を有することを特徴とする。
【００１９】
この特徴によれば、撹拌装置は、回転体の下端の近傍で回転板の下に、牌の裏面側の極性と異なる極性を有する磁極を上に向けた第３磁石を有する。それにより、回転体の下の第３磁石により、回転板により撹拌され、周縁に寄せられた複数の牌が、裏面を下にして回転体の下端の近傍に吸引され、回転板の回転に抗して、表面を上にして停止する。汲上装置の回転体の磁石の巡廻の間停止して、表面を内側に向けて汲み上げられ易くなる。
【００２０】
本発明の自動麻雀卓は、
裏面を下に向けて前記回転板上の前記第３磁石の真上の位置にある牌について、前記牌の裏面側の磁極と前記第３磁石との磁着力は、前記牌の表面側の磁極と前記第１磁石との磁着力よりも弱いことを特徴とする。
【００２１】
この特徴によれば、第３磁石の真上で第３磁石に磁着している牌を、第１磁石を有する回転体により吸引して汲み上げることができる。
【００２２】
本発明の自動麻雀卓は、
前記整列装置は、前記汲上装置により汲み上げられた牌の数を数え、該数が所定の数に達した時に、前記汲上装置の前記回転体の回転方向を逆方向にすることを特徴とする。
【００２３】
この特徴によれば、整列装置は、汲上装置により汲み上げられた牌の数を数え、その数に応じて汲上装置を介して回転体を逆方向に回転させる。それにより、汲上装置により汲み上げられた牌の数が所定数（通常の麻雀競技であれば３４）を超えた場合に、汲上装置を介して回転体を逆方向に回転させることで、汲上装置により汲み上げ途中の牌を撹拌装置に戻すことができる。
【００２４】
本発明の自動麻雀卓は、
前記汲上装置は、前記回転体の下端から前記複数の牌を汲み上げる際の前記回転体の回転方向と逆側に、前記回転体の側面から牌より小さい離間距離隔てて横たわるブロック部材を有することを特徴とする。
【００２５】
この特徴によれば、汲上装置は、回転体の下端から複数の牌を汲み上げる際の回転体の回転方向と逆側に、回転体の側面から牌より小さい離間距離隔てて横たわるブロック部材を有する。それにより、回転体により汲み上げ途中の牌を、回転体を逆方向に回転させることでブロック部材に干渉させて、回転体から撹拌装置に落下させることができる。また、逆方向に回転している回転体に磁着した牌についても、回転体から撹拌装置に落下させることができる。
【発明の効果】
【００２６】
本発明の自動麻雀卓によれば、麻雀牌を撹拌する撹拌装置、撹拌装置により撹拌された麻雀牌を汲み上げる汲上装置、及び汲上装置により汲み上げられた牌を整列する整列装置を備えた自動麻雀卓であって、汲上装置及び整列装置が本体内にコンパクトに組み込まれたものを提供することが可能となる。
【図面の簡単な説明】
【００２７】
【図１】図１は、本実施形態に係る自動麻雀卓の卓板上面の構成を示す図である。
【図２】図２は、自動麻雀卓の内部構成を示す図である。
【図３】図３は、回転体の構成を示す図である。
【図４】図４は、ガイドの構成を示す図である。
【図５】図５は、搬送路の構成を示す図である。
【発明を実施するための形態】
【００２８】
以下、本発明の一実施形態について説明する。
【００２９】
図１及び図２に、それぞれ、本実施形態に係る自動麻雀卓１の卓板２ａ上面の構成及び自動麻雀卓１の内部構成を示す。なお、これらの図において、対応する複数の装置又は部材についてはそれらを代表する１つの装置又は部材のみに符号を付することとする。自動麻雀卓１は、複数の牌９を卓上に自動供給する麻雀卓であり、本体２、撹拌装置３、汲上装置４、搬送路５、及び整列装置６を含んで構成される。なお、複数の牌９は、それぞれ、表面側及び裏面側に極性を統一して磁極（例えば、表面側にＮ極、裏面側にＳ極）が向けられた磁石（不図示）が埋設されている。また、牌は、図柄が設けられた一面を表面とし、長手及び短手をそれぞれ縦及び横とも呼ぶ。
【００３０】
本体２は、自動麻雀卓１の構成各部を収容する立方体状の筐体であり、その天板は最大４人のプレーヤにより麻雀をプレイするための複数の牌が並べられる卓板２ａとして利用される。卓板２ａは、上面視略正方形状であり、４つの開口２ｂ及び開口２ｄが設けられている。４つの開口（牌出口）２ｂは、卓板２ａの四辺のそれぞれに沿って矩形状に形成されている。４つの牌出口２ｂは、同形状の板部材２ｃにより塞がれ、複数の牌を本体２内部から卓上に供給する際に板部材２ｃが待避して開く。開口２ｄは、卓板２ａの中央に正方形状に形成されている。開口２ｄは、同形状の板部材２ｅにより塞がれ、複数の牌を本体２内部の撹拌装置３に送る際に板部材２ｅが上昇して開く。
【００３１】
撹拌装置３は、本体２内で複数の牌９を撹拌する装置である。撹拌装置３は、頂部３ｂ、回転板（ターンテーブル）３ａ、４つのブレード３ｃ、外壁３ｄ、及び４つの磁石３ｅを有する。
【００３２】
頂部３ｂは、例えば円錐形状に形成され、頂点を上方に向けてターンテーブル３ａの中央、すなわち卓板２ａの開口２ｄの直下に配置されている。例えば開口２ｄから牌９が本体内に送られると、牌９は頂部３ｂ上に落下して回転板（ターンテーブルとも呼ぶ）３ａ上に散らされる。
【００３３】
ターンテーブル３ａは、本体２の中央に配置された、頂部３ｂから周縁に傾斜して裾を広げるテーブル部材である。ターンテーブル３ａ上に複数の牌９が送られ、これが回転することにより複数の牌９が撹拌される。
【００３４】
４つのブレード３ｃは、円弧状に湾曲する凸状部材であり、ターンテーブル３ａの表面上に一端を頂部に接続し、他端を周縁に向けて等角度間隔で配設され、略渦巻き状をなしており、複数の牌９がより効率的に撹拌され、また周縁に寄せられる。
【００３５】
外壁３ｄは、ターンテーブル３ａの周縁を囲むリング状の部材である。外壁３ｄにより、ターンテーブル３ａが回転することにより撹拌されて周縁に寄せられた牌がターンテーブル３ａ上に留められる。
【００３６】
４つの磁石３ｅは、ターンテーブル３ａの下に設けられ、後述する汲上装置４の回転体４ａのそれぞれの下端の近傍、例えばそれぞれの直下に配置されている。ここで、磁石３ｅは、牌９の裏面側の極性と異なる極性を有する磁極（例えば、Ｎ極）を上に向ける。ターンテーブル３ａにより撹拌され、周縁に寄せられた牌９の裏面が磁石３ｅに吸引され、牌９は表面を上にむけて停止する。牌９が磁石３ｅにより回転体４ａの下端の近傍に集められ、回転体４ａにより裏面を外側に向けて汲み上げられ易くなる。
【００３７】
なお、磁石３ｅがターンテーブル３ａの上の牌９を引く磁力は、後述する回転体４ａに設けられた磁石４ｂがターンテーブル３ａの上の牌９を引く磁力よりも弱いものとする。牌９を引く磁力は、磁石の磁界の強さ及び磁石と牌（の磁極）との距離によって定まるが、磁石３ｅの磁界を弱くする、磁石３ｅをターンテーブルの上面から離した箇所に配する、又はこれらの両方によって磁石３ｅがターンテーブル３ａの上の牌９を引く磁力を弱くすればよい。それにより、磁石４ｂを有する回転体４ａにより複数の牌９を吸引して汲み上げることができる。
【００３８】
汲上装置４は、本体２内で撹拌装置３から複数の牌９を回転体４ａを用いて上方に汲み上げる装置であり、卓板２ａの４つの開口２ｂに対応して４つ本体２内に設けられている。ここで、４つの汲上装置４は、本体２内で、撹拌装置３の周囲であり卓板２ａの角部近傍の下方（すなわち、本体２の隅部の近傍）にそれぞれ配置されている。それにより、本体２をコンパクトに構成することができる。なお、４つの汲上装置４は同様に構成されているため、代表して１つの汲上装置４についてその構成を説明する。汲上装置４は、回転体４ａ、ガイド４ｃ、及びブロック部材４ｄを有する。
【００３９】
図３に、回転体４ａの構成を側面視において示す。回転体４ａは、上面４ａ１、上面より大きい底面４ａ２、及び上面４ａ１と底面４ａ２との間の側面４ａ３を有する円錐台形状を有する。ここで、側面４ａ３がなす角（すなわち頂角）の角度θは例えば４５〜７５度である。側面４ａ３には、少なくとも１つ、例えば６つの磁石４ｂが牌９の表面側の極性と逆の極性の磁極（例えば、Ｓ極）を外側に向けて埋設されている。なお、磁石の数は、任意に設計してよい。汲上装置４は、回転体４ａを中心軸Ｌを中心に回転することにより、側面４ａ３に設けられた磁石４ｂにより牌９を裏面を外側に向けて吸着して、上方に表面を下に裏面を上に向けて汲み上げることができる。
【００４０】
汲上装置４において、回転体４ａは、図２より分かるように、上面４ａ１を撹拌装置３側（すなわち本体２の中央）に向け、図３より分かるように、底面４ａ２を下側にして中心軸Ｌを水平面に対して角度θ／２程度で傾斜し、側面４ａ３の下端４ａ４を撹拌装置３に近接して、撹拌装置３の周囲に配置される。それにより、回転体４ａの側面４ａ３の上端４ａ５が撹拌装置３から上外側、すなわち外側に向かって斜め上（図２参照）に離間して略水平な状態で配置され、回転体４ａを回転することにより複数の牌９を撹拌装置３から上外方に位置する後述の搬送路５に水平状態で汲み上げることができる。
【００４１】
なお、回転体４ａが円筒形状である場合、回転体を回転することにより複数の牌９は撹拌装置３の周縁の直上に汲み上げられるため、撹拌装置３の周縁の直上から搬送路５に牌を送る別装置又はより長い搬送路５を要することとなる。また、そのような回転体を斜めに配して上端を傾けても、複数の牌９を水平状態で汲み上げることはできない。
【００４２】
ガイド４ｃは、回転体４ａの下側に配置され、回転体４ａの側面４ａ３に対向して側面４ａ３の外側（すなわち、底面４ａ２側）から内側（すなわち、上面４ａ１側）に張り出す板部材である。ガイド４ｃは、正面視において略三角形状を有し、これにより回転体４ａの回転方向（すなわち、側面４ａ３の移動方向）に対して手前から奥にかけて徐々に張り出す。それにより、回転体４ａに吸着した牌９が、回転体４ａが回転することでガイド４ｃに当接して外側から内側に案内されて、回転方向が縦方向となるようにその向きを揃えることができる。
【００４３】
図４に、ガイド４ｃの構成を示す。図４（Ａ）に示すように、ガイド４ｃは、回転体４ａの側方から、磁石の中心線（Ｃで示す）からｗ／２の距離まで張り出している。ここで、ｗは牌９の横幅である。ガイド４ｃは、回転体４ａの回転方向（図において矢印方向）に沿って張り出し長さの増加する傾斜部４ｃ１を含んだ切欠きを有している。
【００４４】
ガイド４ｃの箇所を通過する前から回転方向が縦方向となっている牌９は、ガイド４ｃに当接せず、ガイド４ｃからの回転力を受けない。一方、ガイド４ｃに当接する前に回転方向が縦方向となってない牌９は図４（Ａ）のようにガイド４ｃに当接する。
【００４５】
ガイド４ｃに当接した牌９は、回転方向に垂直な方向にガイド４ｃから押され、回転力を受けて回転方向が縦方向となると考えられる。万一、十分に回転せずに切欠きに達すると図４（Ｂ）のようになる。回転体４ａが牌９を磁着して図の矢印の方向に回転することで、傾斜部４ｃ１において牌９の角部が徐々に中心に押され、回転力が確実に発生する。
【００４６】
以上により、図４（Ｃ）に示すように、牌９は、回転方向が縦方向となる。なお、回転方向が縦方向となることを確実にするために、２以上の切欠きを設けてもよい。
【００４７】
ブロック部材４ｄは、図５（Ａ）より分かるように、回転体４ａの側面４ａ３を覆う板部材であり、回転体４ａの下端４ａ４から複数の牌を汲み上げる際の回転体４ａの回転方向（図面矢印方向）と逆側、本実施形態では一例として正面視における右下に、回転体４ａの側面４ａ３から牌９より小さい離間距離隔てて横たわる。回転体４ａを逆方向に回転させることにより、回転体４ａにより汲み上げ途中の牌をブロック部材４ｄに干渉させて、回転体４ａからその下方の撹拌装置３に落下させることができる。なお、撹拌装置３に落下した牌は、撹拌されてその他の汲上装置４により汲み上げることができる。
【００４８】
なお、ブロック部材４ｄは、専用の部材としなくともよい。本実施形態の構成であれば、搬送路５の内面５ｂを構成する板材の内面とは反対の側がブロック部材として機能する。
【００４９】
搬送路５は、図２より分かるように、回転体４ａの上端４ａ５近傍に配置され、汲上装置４により（表面を下に裏面を上に向けて）汲み上げられた牌９を後述する整列装置６に送る経路であり、４つの汲上装置４に対応して４つ本体２内に設けられている。
【００５０】
図５に、搬送路５の構成を周辺装置と共に示す。図５（Ａ）は側面から見た図、図５（Ｂ）は上面から見た図である。搬送路５は、底面５ａ、２つの内面５ｂ、磁石５ｃ及び導入面５ｄを有する。また、整列装置６のセンサ６ａが導入面５ｄに取り付けられている。
【００５１】
底面５ａは、回転体４ａの上端４ａ５近傍から整列装置６にかけて下向きに傾斜する。その傾斜角は、例えば５〜３０度とする。それにより、汲上装置４により汲み上げられた牌９が底面５ａ上を滑降して整列装置６に搬送される。
【００５２】
２つの内面５ｂは、牌９の横幅よりも大きく且つ縦幅よりも小さい幅で離間する。これにより、回転体４ａにより向きが（図５における左右方向に）揃えられた牌９のみが搬送路５に縦を向けて入ることができる。なお、搬送路５に対して横を向いて汲み上げられた牌は、２つの内面５ｂの端部に干渉して撹拌装置３上に落下する。
【００５３】
磁石５ｃは、搬送路５の入口から整列装置６の上部にわたって設けられ、底面５ａの上方に、複数の牌９の裏面側の極性と逆の極性を有する磁極（例えば、Ｎ極）を底面５ａに向けて配列されている。それにより、搬送路５を通る牌は、磁石５ｃの磁力により吸引されることで、牌９が搬送路５の底面５ａから受ける摩擦抵抗が小さくなり底面５ａ上を滑降しやすくなる。磁石５ｃによって牌９が受ける摩擦抵抗を理論的にはゼロとすることができる。ゼロに近づけることで、底面５ａの傾斜角がわずか５度であっても、牌９は底面５ａを問題なく滑降する。搬送路５の高さを小さくすることができ、コンパクトな構成を実現できる。
【００５４】
導入面５ｄは、一端と他端との間で略４５度の角度差を有する壁面である。図に示すように角を有さない曲面であることが好ましい。導入面５ｄの一端は内面５ｂに連接している。回転体４ａの上端４ａ５は、図５（Ｂ）に示すように、搬送路５に対して略４５度傾斜している。搬送路５が麻雀卓１上面の辺に沿っているのに対し、麻雀卓１の角部に設けられターンテーブル３ａと略同方向に回転する回転体４ａは辺に対して略４５度傾斜するためである。上端４ａ５において移動する牌９を、導入面５ｄによって、スムーズに搬送路５に移動させる。
【００５５】
センサ６ａは、搬送路５の汲上装置４側の端部に設けられ、汲上装置４から搬送路５に移動した牌９を検出する。センサ６ａによって検出された牌９の数が計数（カウント）される。
【００５６】
整列装置６は、本体２内で汲上装置４から汲み上げられた複数の牌９を整列する装置であり、４つの汲上装置４に対応して４つ本体２内に設けられている。整列装置６は、図５（Ｂ）より分かるように、（表面を下に向けて）搬送路５を通って送られた牌を横から図面下側に押し出すことで図面上下方向に整列する。整列装置６は、例えば３４の牌を１７ずつ整列し、これを２段に組み上げて開口２ｂを介して卓上に供給する。
【００５７】
整列装置６は、センサ６ａによって検出された牌の数を計数し、その数に応じて、例えば３４（通常麻雀競技では３４である）に達した場合に汲上装置４を介して回転体４ａを逆方向に回転させる。それにより、必要数を越えて汲上装置により汲み上げ途中の牌を撹拌装置３に戻すことができる。センサ６ａが搬送路５の汲上装置４側の端部に設けられているので、搬送路５内にある牌９も計数されており、正確に３４の牌９を整列装置によって整列し、他の牌９を撹拌装置３に戻すことができる。
【００５８】
以上詳細に説明したように、本実施形態に係る自動麻雀卓１は、表面側及び裏面側に極性を統一して磁極が向けられた磁石をそれぞれ有する複数の牌９を卓上に供給するための開口２ｂが設けられた卓板２ａを有する本体２、本体２内で複数の牌９を撹拌する撹拌装置３、本体２内で撹拌装置３から複数の牌９を回転体４ａを用いて汲み上げる汲上装置４、及び本体２内で汲上装置４から汲み上げられた複数の牌９を開口２ｂに合わせて整列する整列装置６を備え、回転体４ａは、円錐台形状を有し、その円錐台の側面に少なくとも１つの磁石４ｂが複数の牌９の表面側の極性と逆の極性を有する磁極を外側に向けて設けられ、中心軸Ｌを中心に回転する。回転体４ａを回転することにより、側面に設けられた磁石４ｂにより複数の牌９を裏面を外側に向けて吸引して、汲み上げることができる。
【産業上の利用可能性】
【００５９】
麻雀牌を撹拌する撹拌装置、撹拌装置により撹拌された麻雀牌を汲み上げる汲上装置、及び汲上装置により汲み上げられた牌を整列する整列装置を備えた自動麻雀卓であって、汲上装置及び整列装置が本体内にコンパクトに組み込まれた自動麻雀卓である。多くの自動麻雀卓生産者及び雀荘による利用が考えられる。
【符号の説明】
【００６０】
１      自動麻雀卓
２      本体
２ａ    卓板
２ｂ    開口（牌出口）
２ｃ    板部材
２ｄ    開口
２ｅ    板部材
３      撹拌装置
３ａ    ターンテーブル
３ｂ    頂部
３ｃ    ブレード
３ｄ    外壁
３ｅ    磁石
４      汲上装置
４ａ    回転体
４ａ１  上面
４ａ２  底面
４ａ３  側面
４ａ４  下端
４ａ５  上端
４ｂ    磁石
４ｃ    ガイド
４ｃ１  傾斜部
４ｄ    ブロック部材
５      搬送路
５ａ    底面
５ｂ    内面
５ｃ    磁石
５ｄ    導入面
６      整列装置
６ａ    センサ
９      牌
【要約】
【課題】麻雀牌を撹拌する撹拌装置、撹拌装置により撹拌された麻雀牌を汲み上げる汲上装置、及び汲上装置により汲み上げられた牌を整列する整列装置を備えた自動麻雀卓であって、汲上装置及び整列装置が本体内にコンパクトに組み込まれたものを提供すること。
【解決手段】自動麻雀卓１は、複数の牌９を卓上に供給するための開口２ｂが設けられた卓板２ａを有する本体２、本体内で複数の牌を撹拌する撹拌装置３、本体内で撹拌装置から複数の牌を磁石の付いた回転体４ａを用いて汲み上げる汲上装置４、及び本体内で汲上装置から汲み上げられた複数の牌を開口に合わせて整列する整列装置６を備える。回転体４ａは、円錐台形状を有し、上端と下端の麻雀卓水平面方向の位置が相違する。回転体４ａを麻雀卓の４隅に配置したコンパクトな構成となる。
【選択図】図２【図１】
0006049159.tif 000002
【図２】
0006049159.tif 000003
【図３】
0006049159.tif 000004
【図４】
0006049159.tif 000005
【図５】
0006049159.tif 000006